(57)【特許請求の範囲】
【請求項１】
ウォッシュモードとビームモードとを切り替える光スイッチであって、
前記光スイッチは、
実質的に同じ焦点距離を有する２つの平行レンチキュラーレンズのセットであって、第１の距離によって分離されており、且つ少なくともビーム構成及びウォッシュ構成を採用する、２つの平行レンチキュラーレンズのセットと、
光源から放射された光にパターンを付与するＧＯＢＯであって、前記光源と前記２つの平行レンチキュラーレンズのセットとの間に配置されるＧＯＢＯと、
を含み、
前記ビーム構成では、前記平行レンチキュラーレンズは、前記平行レンチキュラーレンズのセットの屈折力が約ゼロであるように実質的に同じ軸に沿って位置合わせされ、
前記ウォッシュ構成では、前記２つの平行レンチキュラーレンズの一方が他方の平行レンチキュラーレンズに対して回転される、光スイッチ。
【請求項２】
前記ウォッシュ構成では、前記２つの平行レンチキュラーレンズの前記一方の回転度は、０〜９０度である、請求項１に記載の光スイッチ。
【請求項３】
前記ウォッシュ構成では、前記２つの平行レンチキュラーレンズの前記一方の回転度は、約９０度である、請求項１に記載の光スイッチ。
【請求項４】
前記２つの平行レンチキュラーレンズの少なくとも一方を回転させる回転機構を更に含む、請求項１に記載の光スイッチ。
【請求項５】
前記２つの平行レンチキュラーレンズの少なくとも一方を回転させるように前記回転機構に指示するコントローラを更に含む、請求項４に記載の光スイッチ。
【請求項６】
ＬＥＤベース光源を更に含む、請求項１に記載の光スイッチ。
【請求項７】
前記２つの平行レンチキュラーレンズの各々は、円柱レンチキュールを含む、請求項１に記載の光スイッチ。
【請求項８】
前記ＧＯＢＯは、微小機械電子システム（ＭＥＭＳ）デバイス、デジタルマイクロミラー、又は液晶ディスプレイを含む、請求項１に記載の光スイッチ。
【請求項９】
前記２つの平行レンチキュラーレンズのセットは、更にアナモルフィック構成を採用し、前記アナモルフィック構成では、前記第１の距離が増加される、請求項１に記載の光スイッチ。
【請求項１０】
光源と、前記２つの平行レンチキュラーレンズのセットとの間に配置されるプリズム板を更に含む、請求項１に記載の光スイッチ。
【請求項１１】
光源と、
前記光源と照明ターゲットとの間に配置される自動光スイッチと
を含む照明器具であって、前記自動光スイッチは、ウォッシュモードとビームモードとを切り替え、更に、前記照明器具は、
実質的に同じ焦点距離を有する２つの平行レンチキュラーレンズのセットであって、第１の距離によって分離されており、且つ少なくともビーム構成及びウォッシュ構成を採用する、２つの平行レンチキュラーレンズのセットと、
前記２つの平行レンチキュラーレンズの少なくとも一方を回転させる回転機構と、
前記２つの平行レンチキュラーレンズの少なくとも一方を回転させるように前記回転機構に指示するコントローラと、
光源から放射された光にパターンを付与するＧＯＢＯであって、前記光源と前記２つの平行レンチキュラーレンズのセットとの間に配置されるＧＯＢＯと、
を含み、
前記ビーム構成では、前記平行レンチキュラーレンズは、前記平行レンチキュラーレンズのセットの屈折力が約ゼロであるように実質的に同じ軸に沿って位置合わせされ、
前記ウォッシュ構成では、前記２つの平行レンチキュラーレンズの一方が他方の平行レンチキュラーレンズに対して回転される、照明器具。
【請求項１２】
前記ウォッシュ構成では、前記２つの平行レンチキュラーレンズの前記一方の回転度は、０〜９０度であるか、又は約９０度である、請求項１１に記載の照明器具。
【請求項１３】
前記光源は、ＬＥＤベース光源である、請求項１１に記載の照明器具。
【請求項１４】
前記ＧＯＢＯは、微小機械電子システム（ＭＥＭＳ）デバイス、デジタルマイクロミラー、又は液晶ディスプレイを含む、請求項１１に記載の照明器具。
【請求項１５】
ウォッシュモードとビームモードとを切り替える光スイッチであって、
前記光スイッチは、
実質的に同じ焦点距離を有する２つのレンチキュラーレンズのセットであって、第１の距離によって分離されており、且つ少なくともビーム構成、ウォッシュ構成、及び歪み構成を採用する、２つのレンチキュラーレンズのセット
を含み、
前記ビーム構成では、前記２つのレンチキュラーレンズは、実質的に平行であり、且つ前記２つのレンチキュラーレンズのセットの屈折力が約ゼロであるように実質的に同じ軸に沿って位置合わせされ、
前記ウォッシュ構成では、前記２つのレンチキュラーレンズが実質的に平行であり、且つ前記２つのレンチキュラーレンズの一方が他方のレンチキュラーレンズに対して回転され、
前記歪み構成では、前記２つのレンチキュラーレンズの一方の面のピッチが、前記２つのレンチキュラーレンズの面が平行ではないように調節される、光スイッチ。
【発明の詳細な説明】
【技術分野】
【０００１】
[0001]  本発明は、概して、デュアルモード自動照明器具に向けられる。より具体的には、本明細書に開示される様々な発明的方法及び装置は、ウォッシュライトモードとビームライトモードとの自動切り替えが可能な照明器具に関する。
【背景技術】
【０００２】
[0002]  デジタル照明技術、即ち、発光ダイオード（ＬＥＤ：light-emitting diode）等の半導体光源に基づいた照明は、従来の蛍光ランプ、ＨＩＤランプ、及び白熱ランプに代わる実行可能な手段を提供する。ＬＥＤの機能的利点及びメリットは、高いエネルギー変換及び光効率、耐久性、より低い運転コスト、並びに多くの他のものを含む。ＬＥＤ技術における最近の進歩は、多くの適用例において様々な照明効果を可能にする効率的且つロバストなフルスペクトル照明源をもたらした。これらの照明源を組み入れた器具の幾つかは、例えば、赤、緑、及び青といった異なる色を生成可能な１つ又は複数のＬＥＤ、並びに様々な色及び色が変化する照明効果を生み出すために、ＬＥＤの出力を独立して制御するプロセッサを含む照明モジュールを特徴とする。
【０００３】
[0003]  例えば、コンサート照明、シアター照明、及びホール照明を含む、建築又はステージショー用の照明は、所望の照明効果を生み出すために各々が調節又はプログラムされる必要がある多数の照明器具を利用することが多い。より多くの種類の照明効果に対する要求が増すにつれて、より多くの数の照明器具に対するニーズも増す。
【０００４】
[0004]  プロジェクション又は「ビーム」照明器具と呼ばれる幾つかの照明器具は、ターゲットの照明を行うために狭角出力ビームを放射するように設計される。一般的に、ビーム照明器具によって放射される光のビームは、高度に制御可能である。放射されるビームは、例えば、１つ又は多くの異なる色でもよく、長い投写距離のために、又は像若しくはデザインを表示するために利用することができる。例えば、狭い出力及び制御により、ビーム照明器具は、鮮明な輪郭線を有するパターン像を表示するために使用することができる。ビーム照明器具の一例は、スポットライトである。
【０００５】
[0005]  「ウォッシュ」照明器具と呼ばれる他の照明器具は、ステージ、面、又はターゲットを光で「ウォッシュする」広角ビームを放射するように設計される。一般的に、ウォッシュ照明器具によって放射される光のビームは、殆ど制御不可能である。ウォッシュ照明器具の一例は、フラッドライトである。
【０００６】
[0006]  多くの場合、ある場所は、両方の種類の照明効果を提供するために別々のビーム照明器具及びウォッシュ照明器具を備える。ビームモード又はウォッシュモードで動作するように単一の照明器具を構成することができるが、モード間の切り換えは、ユーザの介入、又は光源の前のあるアタッチメントから別のアタッチメントへと切り替える、若しくは光源の前に拡散器を配置する大きい機械的切り替え機構の何れかを必要とする。電動システムは遅く、且つあるモードから別のモードへと切り替わるのに１０秒も必要とする場合があり、並びに埃及び粒子が拡散器、モータ、及び／又は他の構成要素の任意の表面に接触することを回避するために密閉されなければならない。
【発明の概要】
【発明が解決しようとする課題】
【０００７】
[0007]  従って、当該技術分野には、ユーザの介入、又は遅く、嵩高く、且つ複雑な機械的切り替え機構の何れもなしに、照明器具をあるモードから別のモードへと切り替える方法及び装置に対するニーズが存在する。
【課題を解決するための手段】
【０００８】
[0008]  本開示は、照明器具をビームモードからウォッシュモードへと切り替えるため及び照明器具をウォッシュモードからビームモードへと切り替えるための発明的方法及び装置に向けられる。上記を鑑みて、様々な実施形態及び実装形態は、光源の前に、ビームモードの動作とウォッシュモードの動作との間で照明器具を転換することができる光スイッチアタッチメントを備えた照明器具に向けられる。光スイッチは、実質的に同じ焦点距離を有するが、逆の符号（即ち、負及び正の焦点距離）を有する２つの平行レンチキュラーレンズアレイのセットから成り、少なくとも２つの構成を採用することができる。光スイッチの第１の構成では、第１及び第２のレンチキュラーレンズアレイは、レンチキュラーレンズのセットの屈折力が約ゼロであるように同じ軸に沿って位置合わせされる。この第１の構成では、照明器具は、殆ど影響なくレンチキュラーレンズのセットを通過する光のビームを放射するビームモードで動作する。光スイッチの第２の構成では、第１又は第２のレンチキュラーレンズアレイの何れかが、セット内の他方のアレイに対して９０度回転される。この第２の構成では、照明器具は、レンチキュラーレンズのセットによって拡散され、及びターゲットを光でウォッシュするビームを放射するウォッシュモードで動作する。
【０００９】
[0009]  更なる照明効果を提供する幾つかの実施形態では、２つのレンチキュラーレンズアレイのセットは、第３の構成を採用することができる。光スイッチのこの第３の構成では、第１又は第２のレンチキュラーレンズアレイの何れかが、２つのレンチキュラーレンズアレイ間の距離（「空隙」とも呼ばれる）が増加するように、セット内の他方のレンチキュラーレンズアレイから離される。引き離されたレンチキュラーレンズアレイは、光スイッチを通過する光に対して楕円効果を生じさせるアナモルフィックレンズとして機能する。例えば、円形のビーム又は形状が楕円に見え、及び正方形のビーム又は形状が長方形に見える。実施形態によっては、引き離されたレンチキュラーレンズアレイは、同時に回転され得、それによって、アナモルフィックビームが同じ角度で回転される。
【００１０】
[0010]  例えば、実施形態によっては、照明器具は、例えば住宅又は小売り環境で使用するためのネットワーク化ＬＥＤベース照明器具である。光スイッチは、ネットワーク化照明器具に加えられたアタッチメントでもよく、又はネットワーク化照明器具に組み込まれ得る。一例として、光スイッチは、住宅内の既存のネットワーク化照明器具と連動して使用され得、住宅を広範な種類の照明効果が可能なシアター又はステージ環境に近くする。
【００１１】
[0011]  一般的に、ある態様では、本発明は、ウォッシュモードとビームモードとを切り替えるように構成された光スイッチに関し、光スイッチは、実質的に同じ焦点距離を有する２つの平行レンチキュラーレンズのセットを備え、２つの平行レンチキュラーレンズアレイのセットは、第１の距離によって分離されており、且つ少なくともビーム構成及びウォッシュ構成を採用するように構成され、ビーム構成では、平行レンチキュラーレンズは、レンチキュラーレンズのセットの屈折力が約ゼロであるように実質的に同じ軸に沿って位置合わせされ、ウォッシュ構成では、２つの平行レンチキュラーレンズの一方が他方の平行レンチキュラーレンズに対して約９０度回転される。
【００１２】
[0012]  実施形態によっては、光スイッチは、２つの平行レンチキュラーレンズの少なくとも一方を回転させるように構成された回転機構を含む。実施形態によっては、光スイッチは、２つの平行レンチキュラーレンズの少なくとも一方を回転させるように回転機構に指示するように構成されたコントローラを含む。
【００１３】
[0013]  実施形態によっては、光スイッチは、ＬＥＤベース光源を含む。実施形態によっては、２つの平行レンチキュラーレンズの各々は、円柱レンチキュールを含む。
【００１４】
[0014]  実施形態によっては、光スイッチは、光源から放射された光にパターンを付与するように構成されたＧＯＢＯを含み、ＧＯＢＯは、光源と２つの平行レンチキュラーレンズのセットとの間に配置される。
【００１５】
[0015]  実施形態によっては、２つの平行レンチキュラーレンズのセットは、アナモルフィック構成を採用するように構成され、アナモルフィック構成では、第１の距離が増加される。
【００１６】
[0016]  実施形態によっては、光スイッチは、第１の距離を増加及び減少させるように構成されたモータと、モータと通信し、且つ第１の距離を増加又は減少させるようにモータに指示するようにプログラム又は構成されたコントローラとを含む。
【００１７】
[0017]  実施形態によっては、光スイッチは、光源と、２つの平行レンチキュラーレンズのセットとの間に配置されるプリズム板を含む。
【００１８】
[0018]  一般的に、別の態様では、本発明は、光源と、光源と照明ターゲットとの間に配置される自動光スイッチとを含む照明器具に関し、自動光スイッチは、ウォッシュモードとビームモードとを切り替えるものであり、自動光スイッチは、実質的に同じ焦点距離を有する２つの平行レンチキュラーレンズのセットを含み、２つの平行レンチキュラーレンズのセットは、第１の距離によって分離されており、且つ少なくともビーム構成及びウォッシュ構成を採用するように構成され、ビーム構成では、平行レンチキュラーレンズは、レンチキュラーレンズのセットの屈折力が約ゼロであるように実質的に同じ軸に沿って位置合わせされ、ウォッシュ構成では、２つの平行レンチキュラーレンズの一方が他方の平行レンチキュラーレンズに対して約９０度回転される。
【００１９】
[0019]  実施形態によっては、光源は、ＬＥＤベース光源である。
【００２０】
[0020]  実施形態によっては、光スイッチは、２つの平行レンチキュラーレンズの少なくとも一方を回転させるように構成された回転機構を含む。
【００２１】
[0021]  実施形態によっては、光スイッチは、２つの平行レンチキュラーレンズの少なくとも一方を回転させるように回転機構に指示するように構成されたコントローラを含む。
【００２２】
[0022]  実施形態によっては、２つの平行レンチキュラーレンズの各々は、複数の円柱レンチキュールを含む。
【００２３】
[0023]  実施形態によっては、光スイッチは、ＧＯＢＯが光源と２つの平行レンチキュラーレンズのセットとの間に配置された時に、光源から放射された光にパターンを付与するように構成されたＧＯＢＯを含む。
【００２４】
[0024]  実施形態によっては、２つの平行レンチキュラーレンズのセットは、アナモルフィック構成を採用するように更に構成され、アナモルフィック構成では、第１の距離が増加される。
【００２５】
[0025]  実施形態によっては、光スイッチは、第１の距離を増加及び減少させるように構成されたモータと、モータと通信し、且つ第１の距離を増加又は減少させるようにモータに指示するようにプログラム又は構成されたコントローラとを含む。
【００２６】
[0026]  実施形態によっては、光スイッチは、光源と、２つの平行レンチキュラーレンズのセットとの間に配置されるプリズム板を含む。
【００２７】
[0027]  本開示の目的で本明細書において使用される場合、「ＬＥＤ」との用語は、任意のエレクトロルミネセンスダイオード、又は、電気信号に呼応して放射を発生できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。
【００２８】
[0028]  例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。別の実施態様では、（例えばＵＶ及び青のような）レーザ放射された光は、蛍光体材料を「ポンピング（pumps）」する。
【００２９】
[0029]  「光源」との用語は、次に限定されないが、ＬＥＤベース光源（上記に定義した１つ以上のＬＥＤを含む）を含む、様々な放射源のうちの任意の１つ以上を指すと理解すべきである。
【００３０】
[0030]  所与の光源は、可視スペクトル内、可視スペクトル外、又は両者の組合せでの電磁放射を発生する。したがって、「光」及び「放射」との用語は、本明細書では同義で使用される。さらに、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００３１】
[0031]  「照明固定具」又は「照明器具」との用語は、本明細書では、特定の形状因子、アセンブリ又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。さらに、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００３２】
[0032]  「コントローラ」との用語は、本明細書では、一般に、１つ以上の光源の動作に関連する様々な装置を説明するために使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されてもよいコントローラ構成要素の例としては、次に限定されないが、従来のマイクロプロセッサ、特定用途向けＩＣ（ＡＳＩＣ）、及びフィールドプログラマブルゲートアレイ（ＦＰＧＡ）がある。
【００３３】  [0033]  様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ（登録商標）、フロッピー（登録商標）ディスク、コンパクトディスク、光学ディスク、磁気テープ等の揮発性及び不揮発性のコンピュータメモリ）と関連付けられる。幾つかの実施態様において、記憶媒体は、１つ以上のプロセッサ及び／又はコントローラ上で実行されると、本明細書で説明した機能の少なくとも幾つかを実行する１つ以上のプログラムによって、コード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウエア又はマイクロコード）を指して使用される。【００３４】
[0034]  １つのネットワーク実施態様では、ネットワークに結合された１つ以上のデバイスが、当該ネットワークに結合された１つ以上の他のデバイスのコントローラとしての機能を果たす（例えばマスタ／スレーブ関係において）。別の実施態様では、ネットワークで結ばれた環境は、当該ネットワークに結合されたデバイスのうちの１つ以上を制御する１つ以上の専用コントローラを含む。通常、ネットワークに結合された複数のデバイスは、それぞれ、１つ以上の通信媒体上にあるデータへのアクセスを有するが、所与のデバイスは、例えば、当該デバイスに割り当てられた１つ以上の特定の識別子（例えば「アドレス」）に基づいて、ネットワークとデータを選択的に交換する（すなわち、ネットワークからデータを受信する及び／又はネットワークにデータを送信する）点で、「アドレス可能」である。
【００３５】
[0035]  「ネットワーク」との用語は、本明細書において使用される場合、（コントローラ又はプロセッサを含む）任意の２つ以上のデバイス間及び／又はネットワークに結合された複数のデバイス間での（例えばデバイス制御、データ記憶、データ交換等のための）情報の転送を容易にする２つ以上のデバイスの任意の相互接続を指す。容易に理解されるように、複数のデバイスを相互接続するのに適したネットワークの様々な実施態様は、様々なネットワークトポロジのうちの何れかを含み、様々な通信プロトコルのうちの何れかを使用することができる。さらに、本開示による様々なネットワークにおいて、２つのデバイス間の接続はいずれも、２つのシステム間の専用接続を表わすか、又は、これに代えて非専用接続を表わしてもよい。２つのデバイス用の情報を担持することに加えて、当該非専用接続（例えばオープンネットワーク接続）は、必ずしも２つのデバイス用ではない情報を担持することがある。さらに、容易に理解されるように、本明細書で説明されたデバイスの様々なネットワークは、ネットワーク全体に亘る情報の転送を容易にするために、１つ以上のワイヤレス、ワイヤ／ケーブル、及び／又は光ファイバリンクのリンクを使用できる。
【００３６】
[0036]  「ユーザインターフェース」との用語は、本明細書において使用される場合、人間であるユーザ又はオペレータと、当該ユーザとデバイス間の通信を可能にする１つ以上のデバイスとの間のインターフェースを指す。本開示の様々な実施態様に使用されてもよいユーザインターフェースの例は、次に限定されないが、スイッチ、電位差計、ボタン、ダイアル、スライダ、マウス、キーボード、キーパッド、様々なタイプのゲームコントローラ（例えばジョイスティック）、トラックボール、ディスプレイスクリーン、様々なタイプのグラフィカルユーザインターフェース（ＧＵＩ）、タッチスクリーン、マイクロホン、及び、人間が生成した何らかの形の刺激を受信し、それに応答して信号を生成する他のタイプのセンサを含む。
【００３７】
[0037]  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解すべきである。特に、本開示の終わりに登場するクレームされる主題のあらゆる組み合わせは、本明細書に開示される本発明の主題の一部であると考えられる。なお、参照により組み込まれる任意の開示内容にも登場する、本明細書にて明示的に使用される用語には、本明細書に開示される特定の概念と最も整合性のある意味が与えられるべきであることを理解すべきである。
【図面の簡単な説明】
【００３８】
[0038]  図面中、同様の参照符号は、全般的に様々な図を通して同じ部分を指している。さらに、図面は必ずしも縮尺通りではなく、重点は全体的に本発明の原理の説明に置かれている。
【００３９】
【図１】[0039]  本発明の一実施形態による光スイッチを備えた照明器具の概略図である。
【図２Ａ】[0040]  本発明の一実施形態による光スイッチの概略図である。
【図２Ｂ】[0040]  本発明の一実施形態による光スイッチの概略図である。
【図３】[0041]  本発明の一実施形態による、ビームモードの光スイッチを備えた照明器具の概略図である。
【図４】[0042]  本発明の一実施形態による光スイッチの概略図である。
【図５】[0043]  本発明の一実施形態による、ビームモードの光スイッチの概略図である。
【図６】[0044]  本発明の一実施形態による、ウォッシュモードの光スイッチの概略図である。
【図７】[0045]  本発明の一実施形態による、ウォッシュモードの光スイッチの概略図である。
【図８】[0046]  本発明の一実施形態による、ウォッシュモードの光スイッチを備えた照明器具の概略図である。
【図９】[0047]  本発明の一実施形態による、ウォッシュモードの光スイッチの概略図である。
【図１０Ａ】[0048]  本発明の一実施形態による光スイッチの概略図である。
【図１０Ｂ】[0048]  本発明の一実施形態による光スイッチの概略図である。
【図１０Ｃ】[0048]  本発明の一実施形態による光スイッチの概略図である。
【図１１】[0049]  本発明の一実施形態による光スイッチの概略図である。
【図１２Ａ】[0050]  本発明の一実施形態による光ビームの概略図である。
【図１２Ｂ】[0050]  本発明の一実施形態による光ビームの概略図である。
【図１３】[0051]  本発明の一実施形態によるプリズム板の概略図である。
【図１４Ａ】[0052]  本発明の一実施形態による光ビームの概略図である。
【図１４Ｂ】[0052]  本発明の一実施形態による光ビームの概略図である。
【図１５】[0053]  本発明の一実施形態による光スイッチの概略図である。
【発明を実施するための形態】
【００４０】
[0054]  多くの場合、照明器具をビームモードからウォッシュモードへと及びその逆に切り替えることが望ましい。しかしながら、モード間の切り替えは、ユーザの介入、又は遅く、嵩高く、且つ複雑な機械的切り替え機構の何れかを必要とする。例えば、電動システムは、あるモードから別のモードへと切り替わるのに１０秒も必要とする場合があり、並びに不要な塵埃及び粒子の堆積を回避するために密閉されなければならない。
【００４１】
[0055]  より一般的には、本出願人らは、ウォッシュライトモードとビームライトモードとの切り替えが可能なデュアルモード自動照明器具を提供することが有益であると認識及び理解した。例えば、そのような照明器具は、ユーザ又は複雑な機械的切り替え機構の何れかによる直接的操作を必要としない。
【００４２】
[0056]  上記を鑑みて、本発明の様々な実施形態及び実装形態は、光源の前に、ビームモードの動作とウォッシュモードの動作との間で照明器具を転換することができる光スイッチアタッチメントを備えた照明器具に向けられる。光スイッチは、実質的に同じ焦点距離を有するが、逆の符号（即ち、負及び正の焦点距離）を有する２つの平行レンチキュラーレンズアレイのセットから成り、並びに少なくとも２つの構成を採用することができる。光スイッチの第１の構成では、第１及び第２のレンチキュラーレンズアレイは、レンチキュラーレンズのセットの屈折力が約ゼロであるように同じ軸に沿って位置合わせされる。この第１の構成では、照明器具は、殆ど影響なくレンチキュラーレンズのセットを通過する光ビームを放射するビームモードで動作する。光スイッチの第２の構成では、第１又は第２のレンチキュラーレンズアレイの何れかが、セット内の他方のアレイに対して９０度回転される。この第２の構成では、照明器具は、レンチキュラーレンズのセットによって拡散され、ターゲットを光でウォッシュするビームを放射するウォッシュモードで動作する。
【００４３】
[0057]  これより図面を参照し、図１では、光源１２を含む照明器具１０の一実施形態が示される。実施形態によっては、光源１２は、複数の光源を含み、複数の光源の１つ又は複数は、ＬＥＤベース光源である。ＬＥＤベース光源は、１つ又は複数のＬＥＤ（線形、二次元、又は三次元構成のＬＥＤアレイを含む）を有し得る。光源は、所定の特徴（即ち、色強度、色温度等）を有する光を放射するように駆動させることができる。様々な異なる色の放射を生成するように適応された多くの異なる数及び様々な種類の光源（全てＬＥＤベース光源、ＬＥＤベース及び非ＬＥＤベース光源のみ又はそれらの組み合わせ等）が、照明器具において用いられ得る。例えば、実施形態によっては、照明器具１０は、２つ以上の異なる色のＬＥＤを含む。従って、光源の空間的配向は、放射光の色又は色温度の調節ももたらすことができる。
【００４４】
[0058]  図１に示される実施形態では、照明器具１０は、光源１２と、光源１２から放射された１つ又は複数の光ビーム２０が標的にする物体又は位置との間に配置される光スイッチ１４を有する。アタッチメント１４は、例えば、照明器具１０と直接接して配置され得るか、照明器具１０に近接して配置され得るか、又は照明器具１０の一体型構成要素であり得る。ある実施形態では、照明器具１０は、住宅用又はオフィス用照明器具である。更に別の実施形態では、照明器具１０は、シアター、ステージ、外部、又は他の場所の照明器具である。
【００４５】
[0059]  光スイッチ１４は、光ビーム２０が通過する２つのレンチキュラーレンズ１６及び１８を含む。各レンチキュラーレンズは、例えば、円柱拡大レンチキュール２２（図２Ａ及び図２Ｂに示される）のアレイでもよい。拡大レンチキュール２２は、円柱の他に、１つ若しくは複数の他の形状でもよく、及び全て１つの形状でもよく、又は様々な異なる形状でもよい。
【００４６】
[0060]  レンチキュラーレンズは、実質的に光学的に透明であり、並びにレンチキュラーレンズ１６及び１８の各々は、平坦な側面及び複数のレンチキュール２２を含む「レンチキュールが付けられた」側面を有する。レンチキュラーレンズ１６及び１８のレンチキュール２２は、数ある形状の中でも、例えば円錐状、球状、三角形、又は正方形を含む任意の適切な形状でよく、及び凹面又は凸面でもよい。レンチキュールの上記の凹面又は凸面形状に対して垂直等の別の面では、レンチキュールは、数ある中でも、線形又は任意の形状を含む任意の形状でよい。レンチキュラーレンズ１６及び１８は、ガラス、又は数ある材料の中でも、例えばポリエステル、ビニル、ポリカーボネート、ポリ（メチルメタクリレート）、及びポリ塩化ビニルの１つ若しくは複数を含む任意の適切なプラスチックを含む、任意の実質的に光学的に透明な材料から構成され得る。
【００４７】
[0061]  ある実施形態では、レンチキュラーレンズ１６及び１８は、図１及び図２Ａに示されるように、実質的に平行であり、且つ実質的に同じ軸３４に沿って位置合わせされる。この実施形態では、レンチキュラーレンズ１６及び１８は、実質的に同じ焦点距離を有するが、レンズの屈折力が約ゼロであるように逆の符号を有し、並びに光ビーム２０は、図３及び図４に示されるように、光スイッチによって殆ど影響を受けない。例えば、レンチキュラーレンズ１６の焦点距離がｆ１ｘであり、及びレンチキュラーレンズ１８の焦点距離が−ｆ１ｘである場合、光スイッチ１４の屈折力は、約ゼロ（ｆ１ｘ＋（−ｆ１ｘ）＝０）である。この構成では、光スイッチ１４は、「ビームモード」で動作している。
【００４８】
[0062]  図２Ａに示されるように、レンチキュラーレンズ１６及び１８が、平行であり、且つ実質的に同じ軸に沿って位置合わせされるビームモードでは、両レンチキュラーアレイにおける複数の円柱拡大レンチキュール２２（線で示される）は、実質的に同じ方向に位置合わせされる。例えば図５では、レンチキュラーレンズ１６の複数のレンチキュール２２は、水平に位置合わせされる。レンチキュラーレンズ１８の複数のレンチキュール２２は、同様に水平に位置合わせされるが、それらは、レンチキュラーレンズ１８の裏面上にあり、従って見えない。図５の数字３０は、複数のレンチキュール２２が水平に位置合わせされた状態のレンチキュラーレンズ１８の裏面を示す。
【００４９】
[0063]  図３及び図４に示されるように、ビームモードでは、「間に入る（Go Between）」又は「光学部品の前を行く（Goes Before Optics）」（「ＧＯＢＯ」）テンプレート２６又は他の構成要素が、光源１２と光スイッチ１４との間に配置され得る。ＧＯＢＯ２６は、その上に光ビーム２０が放射されるスクリーン、人、空間、又は任意の他のターゲットでもよいターゲット２８上に、ある特定のパターンの光及び影を作り出すように光ビーム２０を操作する。ビームモードでは、光及び影のパターンは、光ビーム２０がビームモードではレンチキュラーレンズ１６及び１８によって殆ど影響を受けないため、光スイッチ１４を通過するにも拘らず認識できる。ある実施形態によれば、ＧＯＢＯ２６は、数あるピクセルベース照明器具の中でも、微小機械電子システム（ＭＥＭＳ：microelectromechanical system）デバイス、デジタルマイクロミラー（「ＤＭＤ：digital micro-mirror」）又は液晶ディスプレイ（「ＬＣＤ：liquid crystal display」）等のピクセルベース照明器具又はライトバルブでもよい。このピクセレーション又は変更は、自動化され得るか、又はユーザ入力に基づき得る。
【００５０】
[0064]  レンチキュラーレンズ１６及び１８は、固定され得る又は調節可能であり得る第１の距離２４によって分離されている。ある実施形態では、第１の距離２４は、レンチキュラーレンズ１６又は１８の何れかが回転された際に、レンチキュラーレンズ１６及び１８の各々の複数のレンチキュール２２の機械的干渉を回避するのに十分な幅である。例えば、図２Ａ及び図２Ｂに示されるように、レンチキュラーレンズ１６又は１８の何れかが軸３４の周りで回転される場合（レンズを実質的に平行に維持しながら）、距離２４は、レンチキュラーレンズ１６及び１８の何れの部分も接触すること又は回転を妨げることを防止するのに十分である。但し、第１の距離２４は、光スイッチ１４がビームモードにある場合に、光ビーム２０の大きい歪みを防止するのに十分な狭さである。
【００５１】
[0065]  例えば、ある実施形態によれば、第１の距離２４は、多くの他のサジッタ（ｓａｇｉｔｔａ）が可能であるが、約０．２５ｍｍのサジッタ又は頂点深さ（ｖｅｒｔｅｘｄｅｐｔｈ）を有するレンチキュールの利用によって最小限に抑えられる。サジッタは、例えば式ｈ２／２*Ｒ（式中、「ｈ」は高さであり、及び「Ｒ」は曲率半径である）を用いて計算することができる。この実施形態によれば、多くの他の距離が可能であるが、約１ｍｍの第１の距離２４は、光スイッチ１４がビームモードにある時、光ビーム２０の歪みを最小限に抑える。別の実施形態によれば、第１の距離２４の幅は、サジッタが微細な溝ピッチを有するマイクロメータレベルに崩壊されたレンチキュラーアレイを用いることによって縮小させることができる。
【００５２】
[0066]  光スイッチ１４は、照明器具１０から放射された光ビーム２０の経路に沿った何れの場所にも配置することができる。配置は、レンチキュラーレンズが光ビームを調節する能力に影響を与える。ある実施形態では、例えば、光スイッチ１４は、光スイッチ１４がビームモードにある場合に光ビーム２０の大きい歪みを防止するために、光スイッチ１４を通過する際の光ビーム２０の角度が最小となるように、光源１２に近接して配置される。光ビーム２０が光スイッチ１４に近づくにつれて光ビーム２０の入射角が高くなると、それが光スイッチ１４を通過するにつれて歪みの機会が大きくなる。例えば、光スイッチ１４は、もし存在すれば、照明器具１０のレンズの直径が最大となる光学ズームの前に配置され得る。
【００５３】
[0067]  別の実施形態では、レンチキュラーレンズ１６及び１８は、実質的に平行に維持されるが、レンチキュラーレンズ１６又はレンチキュラーレンズ１８の一方は、他方のレンチキュラーレンズに対して約９０度回転される。例えば図５では、光スイッチ１４はビームモードにあり、並びにレンチキュラーレンズ１６及び１８の複数のレンチキュール２２は水平に位置合わせされる。しかしながら図６では、レンチキュラーレンズ１６のみが、２つのレンチキュラーレンズを実質的に平行に維持しながら、右の左側に約９０度回転されている。レンチキュラーレンズ１６の複数のレンチキュール２２は、今度は垂直に位置合わせされる。レンチキュラーレンズ１８の複数のレンチキュール２２は、複数のレンチキュール２２が水平に位置合わせされた状態のレンチキュラーレンズ１８の裏面を示す数字３０によって示されるように、実質的に水平に位置合わせされたままである。この構成では、光スイッチ１４は、「ウォッシュモード」で動作している。
【００５４】
[0068]  光スイッチ１４は、図７に示される、レンチキュラーレンズ１６及び１８の一方又は両方を回転させるように構成された回転機構４２を含み得る。例えば、回転機構４２は、レンチキュラーレンズ１６のみを回転させ得るか、又はレンチキュラーレンズ１８のみを回転させ得る。回転機構４２は、例えば、レンズを回転させるトラックを回す単純なモータでもよく、又は回転を生じさせるようにレンチキュラーレンズ１６及び１８の一方若しくは両方と直接接し得る。例えば、レンチキュラーレンズ１６及び１８の一方又は両方の外面並びにモータは、単純なギアを形成する噛み合い歯を含み得る。回転は、モータと直接又は無線通信するコントローラ４６によって制御され得、及び回転は、自動的に、又はタイミング素子、ユーザコマンド、又は他の内部若しくは外部制御信号等の刺激に応答して行われ得る。
【００５５】
[0069]  図７に示される別の実施形態では、レンチキュラーレンズ１８のみが、２つのレンチキュラーレンズを実質的に平行に維持しながら、右の左側に約９０度回転されている。レンチキュラーレンズ１８の複数のレンチキュール２２は、今度は垂直に位置合わせされる。レンチキュラーレンズ１６の複数のレンチキュール２２は、実質的に水平に位置合わせされたままである。この構成では、光スイッチ１４は、この場合もやはり「ウォッシュモード」で動作している。レンチキュラーレンズ１６又は１８の何れかが、図６又は図７の何れかに示される構成から９０度回転されると、光スイッチは再びビームモードとなる。
【００５６】
[0070]  図２Ｂに示されるように、ウォッシュモードでは、レンチキュラーレンズ１６及び１８は、平行であるが、２つのレンチキュラーアレイの複数の円柱拡大レンチキュール２２（線で示される）は、最早実質的に同じ方向に位置合わせされない。その結果、図８に示されるように、照明器具１０から放射された光ビーム２０は、最早レンチキュラーレンズ１６及び１８によって影響を受けないことはなく、今度は角度が付けられる。ウォッシュモードにおいてレンチキュラーレンズ１６及び１８の１つ又は複数の屈折力が弱ければ、光ビーム２０のこのコンボリューションは、弱くなる。
【００５７】
[0071]  ＧＯＢＯ２６が光源１２と光スイッチ１４との間に配置されると、光ビーム２０がウォッシュモードでは光スイッチ１４によって影響を受けるため、光及び影のパターンは歪められるか、又は攪乱される。その結果生じるターゲット２８（これは、その上に光ビーム２０が放射されるスクリーン、人、空間、又は任意の他のターゲットでもよい）に届く光は、ぼやけており、及びその結果、ターゲット２８は、光でウォッシュされる。ある実施形態によれば、ウォッシュモードにおける光スイッチ１４の光ビーム２０は、ＧＯＢＯの焦点をぼかすことによって、更にぼやけさせるか、又はコンボリューションさせることができる。ＧＯＢＯは、光スイッチ１４の他の作用とは別に又はそれと併せて焦点がぼかされ得る。例えば、ある実施形態によれば、ＧＯＢＯは、光スイッチがウォッシュモードにある場合等、レンチキュラーレンズ１６及び１８が位置合わせされていない時は常に焦点がぼかされる。別の実施形態によれば、ＧＯＢＯは、ビームモードとウォッシュライトとの切り替えとは切り離された機能性の別の層を提供するために別個に焦点がぼかされる。
【００５８】
[0072]  ある実施形態では、ビームモードの光スイッチ１４のレンチキュラーレンズ１６及び１８を通って進む光ビーム２０の拡がり全角は、例えば、約８〜４０度でもよい。同様に、ウォッシュモードの光スイッチ１４のレンチキュラーレンズ１６及び１８を通って進む光ビーム２０の拡がり全角は、例えば、約１５〜５０度でもよい。従って、この実施形態では、ビームモードとウォッシュモードとの間の光ビーム２０の拡がり角の増加は、約７〜１０度である。従って、この実施形態によれば、レンチキュラーアレイの最適焦点距離は、約１／（２*ｓｉｎ（１０））又はｆ／２．８である。ビームモードとウォッシュモードとの間の光ビーム２０の拡がり角の増加が異なるか、又は光ビーム２０の他の特性が望まれる場合、他の焦点距離が最適となり得る。
【００５９】
[0073]  ある実施形態では、光スイッチ１４がビームモードにある場合の光ビーム２０の光学的品質は、少なくとも部分的に、光ビームの拡がり全角及び光ビーム２０の強度に依存する。図１０Ａが低ズーム、図１０Ｂが中ズーム、及び図１０Ｃが高ズームである、図１０Ａ〜Ｃに描かれる一実施形態によれば、ビーム直径が表１に示される。この実施形態では、ＧＯＢＯの焦点距離は、約ｆ／１．４〜ｆ／１．６であり、及びＧＯＢＯの直径は、約３０ｍｍである。
【００６０】
【表１】
0006588457.tif 000002
【００６１】
[0074]  別の実施形態では、レンチキュラーレンズ１６及び１８のレンチキュール２２の１つ又は複数は、レンチキュラーレンズ１６とレンチキュラーレンズ１８との間の距離が増加する場合、又は入射角が大きい場合、クロストーク又は他の照明効果を防止するため又は減少させるために変更され得る。例えば、レンチキュールの１つ若しくは複数、又はレンチキュールの１つ若しくは複数の一部は、よりきれいな照明効果をもたらし得るクロストークを防止するため又は減少させるために、暗くされ得るか、又はレンチキュールの透明度を低下させ得る。レンチキュールの変更は、入射角、検出されたクロストーク、若しくは像の質の低下に基づいて、又はライト若しくはシステムの他の特性に基づいて、自動でもよい。別の実施形態によれば、レンチキュールの変更は、システムへのユーザ入力に基づき得る。更に、レーザ光源が利用される場合、コントラストを向上させるため及び／又はクロストーク若しくは他の照明効果を排除するために、スペックル低減が用いられ得る。
【００６２】
[0075]  更なる照明効果をもたらす幾つかの実施形態では、図１１及び図１２Ａ〜Ｂに描かれるように、光スイッチ１４のレンチキュラーレンズ１６及び１８は、更に別の構成を採用することができる。光スイッチ１４のこの構成では、レンチキュラーレンズ１６又は１８の何れかが、２つのレンチキュラーレンズアレイ間の距離である第１の距離２４が増加するように、光スイッチの他方のレンチキュラーレンズから離される。例えば、図１１に示されるように、第１の距離２４は、第１の距離２４ａから第２の且つ第１より大きい距離２４ｂへと増加される。光スイッチ１４は、第１の距離２４が手動で又は自動的に調節されるように設計され得る。例えば、ある実施形態によれば、レンチキュラーレンズ１６又は１８の何れかは、第１の距離２４が増加される際に、他方のレンズから離される。同様に、レンチキュラーレンズ１６又は１８の何れかは、第１の距離２４が減少される際に、他方のレンズに近づけられる。この動きは、自動でもよく、又はユーザコマンド、タイミング素子、センサ、若しくは他の制御に応答して行われ得る。例えば、この動きは、トラックを回し、及びレンチキュラーレンズ１６又は１８を他方のレンズとの関連で移動させる、即ち、両者をより近づける及び更に離す、単純なモータ４４によって行われ得る。別の例として、レンチキュラーレンズ１６及び１８の一方又は両方の外面並びにモータ４４は、単純なギアを形成する噛み合い歯を含み得る。モータ４４は、モータと直接又は無線通信するコントローラ４６によって制御され得、及び動きは、自動的に、又はタイミング素子、ユーザコマンド、又はコントローラと通信する他の内部若しくは外部制御信号等の刺激に応答して行われ得る。
【００６３】
[0076]  図１２Ａ〜Ｂに示されるように、光スイッチ１４における引き離されたレンチキュラーレンズは、光スイッチを通過する光に対して楕円効果を生じさせるアナモルフィックレンズとして機能する。例えば、実質的に円形のビーム又は形状が楕円に見え、楕円率は、第１の距離２４の値及びビーム拡がり全角の値（低ズーム又は高ズーム等）を含む幾つかの要因に依存する。他の実施形態では、正方形のビーム又は形状が長方形に見える。レンズ間の第１の距離２４を増加させることによって、光スイッチを通過する光に対して楕円効果が生み出される光スイッチ１４のこの実施形態に更なる機能性を提供するため、レンチキュラーレンズ１６及び１８は、同時にＺ光軸３４の周りを回転させ得、これは、ビーム及びその結果生じる楕円がほぼ同じ角度で回転することをもたらす。
【００６４】
[0077]  更なる照明効果を提供する他の実施形態では、図１３、図１４Ａ、及び図１４Ｂに描かれるように、照明器具１０及び／又は光スイッチ１４は、プリズム板４０を用いて更に変更され得る。例えば、ある実施形態では、プリズム板４０は、光源１２と光スイッチ１４との間の何れかの箇所に配置される。プリズム板４０は、図１４Ａに示される複数の三角形等の複数のＧＯＢＯ像の生成を生じさせる。レンチキュラーレンズ１６及び１８をＺ光軸３４の周りで同時に回転させることができる場合、複数のＧＯＢＯ像は、ほぼ同じ角度で回転する。例えば、図１４Ｂに描かれるように、三角形は、レンチキュラーレンズ１６及び１８の回転に伴って回転しており、この回転は矢印で示される。プリズム板４０に加えて、多種多様な照明効果を生じさせるために、任意の数の他の光学素子が光源１２と光スイッチ１４との間に配置され得る。
【００６５】
[0078]  追加の照明効果を提供する別の実施形態では、図１５に描かれるように、レンチキュラーレンズ１６及び／又は１８の一方又は両方のピッチ角は、２つのレンズが平行ではないように調節され得る。これは、光ビーム２０の歪みをもたらし、及び更なる機能性を光スイッチに追加する。
【００６６】
[0079]  ある実施形態では、光スイッチ１４は、数ある構成要素の中でも、例えば、プロセッサ及びメモリを含み得るコントローラ４６、並びに通信モジュールを含む１つ又は複数の構成要素を備えた制御回路を含む。この実施形態では、光スイッチ１４は、単一のコントローラによって制御されるが、他の実施形態では、照明器具は、複数のコントローラを備え得る。コントローラ４６は、光スイッチ１４、レンチキュラーレンズ１６及び１８、並びに／又は光スイッチ及び／若しくは照明器具１０の他の構成要素に対して、１つ又は複数の信号を出力するように構成又はプログラムされる。例えば、コントローラ４６は、光スイッチがビームモードからウォッシュモードへと又はその逆に切り替わる時に、レンチキュラーレンズ１６又は１８の何れかを回転させる回転機構４２への制御信号を生成するようにプログラム又は構成され得る。コントローラ４６はまた、レンチキュラーレンズ１６及び１８の一方又は両方を移動させることによって、第１の距離２４の値を増加及び／又は減少させるように構成又はプログラムされ得る。この動きは、自動でもよく、又は例えばユーザコマンド、タイミング素子、センサ、若しくは他の制御に応答して行われ得る。コントローラ４６はまた、光源１２を含む照明器具１０を調節又はモニタリングするように構成又はプログラムされ得る。コントローラ４６はまた、光源１２と光スイッチ１４との間の１つ又は複数の他の光学素子を調節又はモニタリングするように構成又はプログラムされ得る。コントローラは、例えば、本明細書に記載された様々な機能を行うようにソフトウェアを用いてプログラムされたプロセッサでもよく、及びメモリとの組み合わせで利用され得る。メモリは、プロセッサによって実行される１つ又は複数の照明コマンド又はソフトウェアプログラムを含むデータ、並びにレンチキュラーレンズ１６及び１８の一方若しくは両方、又は照明器具１０若しくは光スイッチ１４の任意の他の素子の動き又は調節を含む様々な種類のデータを保存することができる。
【００６７】
[0080]  幾つかの発明実施形態を本明細書に説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明実施形態の範囲内であるとみなす。より一般的には、当業者であれば、本明細書にて説明されるすべてのパラメータ、寸法、材料、及び構成は例示のためであり、実際のパラメータ、寸法、材料、及び／又は構成は、発明教示内容が用いられる１つ以上の特定用途に依存することを容易に理解できよう。当業者であれば、本明細書にて説明した特定の発明実施形態の多くの等価物を、単に所定の実験を用いて認識又は確認できよう。したがって、上記実施形態は、ほんの一例として提示されたものであり、添付の請求項及びその等価物の範囲内であり、発明実施形態は、具体的に説明された又はクレームされた以外に実施可能であることを理解されるべきである。本開示の発明実施形態は、本明細書にて説明される個々の特徴、システム、品物、材料、キット、及び／又は方法に関する。さらに、２つ以上のこのような特徴、システム、品物、材料、キット、及び／又は方法の任意の組み合わせも、当該特徴、システム、品物、材料、キット、及び／又は方法が相互に矛盾していなければ、本開示の本発明の範囲内に含まれる。
【００６８】
[0081]  本明細書にて定義されかつ用いられた定義はすべて、辞書の定義、参照することにより組み込まれた文献における定義、及び／又は、定義された用語の通常の意味に優先されて理解されるべきである。
【００６９】
[0082]  本明細書及び特許請求の範囲にて使用される「ａ」及び「ａｎ」の不定冠詞は、特に明記されない限り、「少なくとも１つ」を意味するものと理解されるべきである。
【００７０】
[0083]  本明細書及び特許請求の範囲にて使用される「及び／又は」との表現は、等位結合された要素の「いずれか又は両方」を意味すると理解すべきである。すなわち、要素は、ある場合は接続的に存在し、その他の場合は離接的に存在する。「及び／又は」を用いて列挙される複数の要素も同様に解釈されるべきであり、すなわち、要素のうちの「１つ以上」が等位結合される。「及び／又は」節によって具体的に特定された要素以外の他の要素も、それが具体的に特定された要素に関連していても関連していなくても、任意選択的に存在してよい。したがって、非限定的な例として、「Ａ及び／又はＢ」との参照は、「含む」といった非制限的言語と共に用いられた場合、一実施形態では、Ａのみ（任意選択的にＢ以外の要素を含む）を指し、別の実施形態では、Ｂのみ（任意選択的にＡ以外の要素を含む）を指し、さらに別の実施形態では、Ａ及びＢの両方（任意選択的にその他の要素を含む）を指す。
【００７１】
[0084]  本明細書及び特許請求の範囲に用いられるように、１つ以上の要素を含むリストを参照した際の「少なくとも１つ」との表現は、要素のリストにおける任意の１つ以上の要素から選択された少なくとも１つの要素を意味すると理解すべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していても関連していなくても、任意選択的に存在してもよいことを可能にする。
【００７２】
[0085]  さらに、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。
【００７３】
[0086]  請求項において、括弧内に登場する任意の参照符号は、便宜上、提供されているに過ぎず、当該請求項をいかようにも限定することを意図していない。
【００７４】
[0087]  特許請求の範囲においても上記明細書においても、「備える」、「含む」、「担持する」、「有する」、「含有する」、「関与する」、「保持する」、「〜から構成される」等といったあらゆる移行句は、非制限的、すなわち、含むがそれに限定されないことを意味すると理解すべきである。米国特許庁特許審査手続便覧の第２１１１．０３項に記載される通り、「〜からなる」及び「本質的に〜からなる」といった移行句のみが、制限又は半制限移行句である。
【図１】
0006588457.tif 000003
【図２Ａ】
0006588457.tif 000004
【図２Ｂ】
0006588457.tif 000005
【図３】
0006588457.tif 000006
【図４】
0006588457.tif 000007
【図５】
0006588457.tif 000008
【図６】
0006588457.tif 000009
【図７】
0006588457.tif 000010
【図８】
0006588457.tif 000011
【図９】
0006588457.tif 000012
【図１０Ａ】
0006588457.tif 000013
【図１０Ｂ】
0006588457.tif 000014
【図１０Ｃ】
0006588457.tif 000015
【図１１】
0006588457.tif 000016
【図１２Ａ】
0006588457.tif 000017
【図１２Ｂ】
0006588457.tif 000018
【図１３】
0006588457.tif 000019
【図１４Ａ】
0006588457.tif 000020
【図１４Ｂ】
0006588457.tif 000021
【図１５】
0006588457.tif 000022